(57)【要約】【課題】設置する土地の形状に柔軟に対応可能で、狭いスペースであっても設置することができ、津波防止能力が高い防波堤を提供する。【解決手段】１対の連続壁１１が、海岸に沿って配置されている。各連続壁１１は、下部を地中に打ち込んだコンクリート杭２１を横方向に並べて形成されている。各連続壁１１は、互いの間隔がコンクリート杭２１の設置面からの高さ以上になるよう設けられている。堤体用充填物１２が、各連続壁１１の間に充填されている。堤体用充填物１２は、放射性物質とゼオライトとを含んでいてもよい。【選択図】図２
2014133979.tif 000002
【特許請求の範囲】
【請求項１】
堤体の土留めとして、下部を地中に打ち込んだコンクリート杭を横方向に並べて形成された連続壁が設けられていることを特徴とする防波堤。
【請求項２】
下部を地中に打ち込んだコンクリート杭を横方向に並べて形成される連続壁を、所定の間隔を開けて１対設置し、各連続壁の間に堤体用充填物を充填して形成されることを特徴とする防波堤。
【請求項３】
各連続壁は、海岸に沿って配置され、互いの間隔が前記コンクリート杭の設置面からの高さ以上であることを特徴とする請求項２記載の防波堤。
【請求項４】
前記堤体用充填物は、放射性物質とゼオライトとを含むことを特徴とする請求項２または３記載の防波堤。
【発明の詳細な説明】
【技術分野】
【０００１】
本発明は、防波堤に関する。
【背景技術】
【０００２】
従来、津波を防ぐために海岸に設けられる防波堤として、コンクリートブロックを積み重ねたものや、コンクリート擁壁から成るもの、堤体盛土の表面にコンクリート板等を敷設したものなどがある（例えば、特許文献１参照）。
【先行技術文献】
【特許文献】
【０００３】
【特許文献１】実開平６−１４２３７号公報
【発明の概要】
【発明が解決しようとする課題】
【０００４】
従来の防波堤のうち、コンクリートブロックを積み重ねたものは、移動しやすいため、大きい津波を防ぎきれないという課題があった。また、コンクリート擁壁から成るものは、設置する土地の形状等に柔軟に対応することができないという課題があった。また、堤体盛土の表面にコンクリート板等を敷設したものは、堤体盛土を形成するための広いスペースが必要であるという課題があった。
【０００５】
本発明は、このような課題に着目してなされたもので、設置する土地の形状に柔軟に対応可能で、狭いスペースであっても設置することができ、津波防止能力が高い防波堤を提供することを目的としている。
【課題を解決するための手段】
【０００６】
上記目的を達成するために、本発明に係る防波堤は、堤体の土留めとして、下部を地中に打ち込んだコンクリート杭を横方向に並べて形成された連続壁が設けられていることを特徴とする。
【０００７】
本発明に係る防波堤は、堤体の土留めとしてコンクリート杭を使用するため、設置する土地の形状に合わせて堤体を設置することができ、設置する土地の形状に柔軟に対応可能である。また、盛土で堤体を構成するものよりも狭いスペースに設置することができる。下部を地中に打ち込んだコンクリート杭を横方向に並べて連続壁を形成しているため、その連続壁に向かって水平方向に押す力に対する強度が高く、津波防止能力が高い。
【０００８】
本発明に係る防波堤で、コンクリート杭による連続壁は、堤体の一部に設けられていてもよく、堤体の海側および／または陸側の面全体に設けられていてもよい。また、連続壁は、複数のコンクリート杭を長さ方向に連結したものを、横方向に並べて形成されていてもよい。この場合、連結時に杭の外側面からの突出部分がなく、連結したコンクリート杭を横に並べたとき、隣り合うコンクリート杭の間に隙間のない連続壁を形成することができる。
【０００９】
コンクリート杭を長さ方向に連結したものには、以下の構成のものを用いることができる。連結されたコンクリート杭のうち、一方のコンクリート杭の連結側の先端に、そのコンクリート杭を長さ方向に延長するよう円筒状の受け側補強バンドが取り付けられている。他方のコンクリート杭の連結側の先端に、円筒状の挿入側補強バンドが取り付けられている。挿入側補強バンドは、連結側の先端に受け側補強バンドに挿入可能な挿入部を有している。受け側補強バンドの連結側の先端から所定の間隔をあけた内周面には、受け側フランジ部が周方向に沿って内側に向かって突出して設けられている。挿入部の先端には、挿入側フランジ部が周方向に沿って内側に向かって突出して設けられている。他方のコンクリート杭の挿入部が、一方のコンクリート杭の受け側補強バンドに挿入されて固定されている。挿入部を受け側補強バンドに挿入したとき、挿入側フランジ部が受け側フランジ部に接している。挿入側フランジ部と受け側フランジ部とは、接着剤で固定されていることが好ましい。また、受け側補強バンドの外径がコンクリート杭の外径と同じであることが好ましい。
【００１０】
本発明に係る防波堤は、下部を地中に打ち込んだコンクリート杭を横方向に並べて形成される連続壁を、所定の間隔を開けて１対設置し、各連続壁の間に堤体用充填物を充填して形成されることが好ましい。この場合、より狭いスペースに設置することができる。また、各連続壁の間に、コンクリート杭の打設時に発生した残土や瓦礫などの廃棄物を、堤体用充填物として充填することができる。堤体用充填物を充填した上面を平坦にすることができるため、太陽光発電や風力発電などの設置スペースや植栽スペースなど、様々な用途に利用することができる。連続壁は、閉じた平面形状をなして、内側に堤体用充填物を充填する空間を形成していることが好ましい。
【００１１】
本発明に係る防波堤で、各連続壁は、海岸に沿って配置され、互いの間隔が前記コンクリート杭の設置面からの高さ以上であることが好ましい。この場合、海側から水平方向に押す力に対する防波堤の強度を大きくすることができ、津波防止能力をより高めることができる。
【００１２】
本発明に係る防波堤で、前記堤体用充填物は、放射性物質とゼオライトとを含んでいてもよい。この場合、ゼオライトが放射性物質を吸着するため、堤体から放射線が漏れるのを防ぐことができ、放射性物質の一時的または恒久的な保管・廃棄場所として利用することができる。放射線の漏れをより効果的に防ぐよう、放射性物質を囲むようゼオライトを配置して充填することが好ましい。
【発明の効果】
【００１３】
本発明によれば、設置する土地の形状に柔軟に対応可能で、狭いスペースであっても設置することができ、津波防止能力が高い防波堤を提供することができる。
【図面の簡単な説明】
【００１４】
【図１】本発明の実施の形態の防波堤を示す平面図である。
【図２】本発明の実施の形態の防波堤を示す断面図である。
【発明を実施するための形態】
【００１５】
以下、図面に基づき、本発明の実施の形態について説明する。
図１および図２は、本発明の実施の形態の防波堤を示している。
図１および図２に示すように、防波堤１０は、１対の連続壁１１と堤体用充填物１２とを有している。
【００１６】
図１および図２に示すように、各連続壁１１は、下部を地中に打ち込んだコンクリート杭２１を横方向に並べて形成されている。各連続壁１１は、海岸に沿って配置され、互いの間隔がコンクリート杭２１の設置面からの高さ以上になるよう設けられている。図２に示すように、各連続壁１１は、２本のコンクリート杭２１ａ，２１ｂを長さ方向に連結したものを、横方向に並べて形成されている。
【００１７】
連結されたコンクリート杭２１には、以下の構成のものが用いられる。一方のコンクリート杭２１ａの連結側の先端に、そのコンクリート杭２１ａを長さ方向に延長するよう円筒状の受け側補強バンド２２ａが取り付けられている。他方のコンクリート杭２１ｂの連結側の先端に、円筒状の挿入側補強バンド２２ｂが取り付けられている。挿入側補強バンド２２ｂは、連結側の先端に受け側補強バンド２２ａに挿入可能な挿入部を有している。受け側補強バンド２２ａの連結側の先端から所定の間隔をあけた内周面には、受け側フランジ部が周方向に沿って内側に向かって突出して設けられている。受け側補強バンド２２ａは、コンクリート杭２１ａ，２１ｂと同じ外径を有している。挿入部の先端には、挿入側フランジ部が周方向に沿って内側に向かって突出して設けられている。他方のコンクリート杭２１ｂの挿入部が、一方のコンクリート杭２１ａの受け側補強バンド２２ａに挿入されて固定されている。挿入部を受け側補強バンド２２ａに挿入したとき、挿入側フランジ部が受け側フランジ部に接している。挿入側フランジ部と受け側フランジ部とは、接着剤で固定されている。
【００１８】
図２に示すように、防波堤１０は、各連続壁１１の間の地面を掘り下げ、その表面にコンクリート２３が打設されている。堤体用充填物１２は、コンクリート杭２１の打設時に発生した残土、瓦礫などの廃棄物、ヘドロ、放射性物質、ゼオライト等から成っている。堤体用充填物１２は、各連続壁１１の間に充填されている。
【００１９】
防波堤１０は、各連続壁１１の間に打設されたコンクリート２３の上に、地面よりも低い範囲で、放射性物質を囲むようゼオライトを配置し、その上に、残土や瓦礫、ヘドロ等をコンクリートで固めたものを入れ、さらに上面をコンクリート２４またはアスファルトで固めて形成されている。なお、防波堤１０は、堤体用充填物１２から成る堤体の土留めとして、連続壁１１が設けられた構造を成している。
【００２０】
図１に示すように、防波堤１０は、堤体の上部に上がったり、堤体の上部から降りたりするための階段１３を有している。また、防波堤１０は、両端面にも、連続壁１１と同じ構造を有する連続壁１４が設けられていてもよい。
【００２１】
次に、作用について説明する。
防波堤１０は、堤体の土留めとしてコンクリート杭２１を使用するため、設置する土地の形状に合わせて堤体を設置することができ、設置する土地の形状に柔軟に対応可能である。また、盛土で堤体を構成するものよりも狭いスペースに設置することができる。下部を地中に打ち込んだコンクリート杭２１を横方向に並べて各連続壁１１を形成しているため、各連続壁１１に向かって海側から水平方向に押す力に対する強度が高く、津波防止能力が高い。特に、各連続壁１１の間隔がコンクリート杭２１の設置面からの高さ以上になるよう設けているため、防波堤１０の強度がより大きくなっており、非常に優れた津波防止能力を有している。
【００２２】
防波堤１０は、長さ方向に連結したコンクリート杭２１の外側面に突出部分がないため、連結したコンクリート杭２１を横に並べたとき、隣り合うコンクリート杭２１の間に隙間のない連続壁１１を形成することができる。堤体用充填物１２を充填した上面を、太陽光発電や風力発電などの設置スペースや植栽スペースなど、様々な用途に利用することができる。また、防波堤１０は、ゼオライトが放射性物質を吸着するため、堤体から放射線が漏れるのを防ぐことができ、放射性物質の一時的または恒久的な保管・廃棄場所として利用することができる。
【００２３】
なお、図２に示すように、防波堤１０は、コンクリート擁壁３１やコンクリートブロック３２から成る既存の防潮堤の陸側に設けられてもよい。また、これらの防潮堤を覆うよう、海側に盛土３３を設け、一つの防波堤１０として再構成するのに利用されてもよい。
【符号の説明】
【００２４】
１０  防波堤
１１  連続壁
２１  コンクリート杭
２２ａ  受け側補強バンド
２２ｂ  挿入側補強バンド
２３、２４  コンクリート
１２  堤体用充填物
１３  階段
【図１】
2014133979.tif 000003
【図２】
2014133979.tif 000004